【手続補正書】
【提出日】平成30年1月19日(2018.1.19)
【手続補正１】
【補正対象書類名】特許請求の範囲
【補正対象項目名】全文
【補正方法】変更
【補正の内容】
【特許請求の範囲】
【請求項１】
第１のカメラで撮影された第１画像と第２のカメラで撮影された第２画像とからそれぞれ被写体を検出する検出手段と、
前記検出手段により前記第１画像から検出された第１被写体と前記検出手段により前記第２画像から検出された第２被写体とについて、被写体の顔の特徴に基づいて同一の被写体であることを判定する判定手段と、
前記判定手段により前記第１被写体と前記第２被写体とが同一であると判定された場合、前記第１画像における前記第１被写体の領域の色情報と、前記第２画像における前記第２被写体の領域の色情報と、に基づいて、前記第１のカメラで撮影された画像と前記第２のカメラで撮影された画像との間の色の差異を補正するための補正パラメータを取得する取得手段と、
前記第１画像と前記第２画像とを表示装置に表示させる制御を行う制御手段と、
を有し、
前記制御手段により前記表示装置に表示させられる前記第１画像と前記第２画像とのうち少なくとも一方が前記取得手段により取得された前記補正パラメータに基づいて色を補正されていることを特徴とする画像処理装置。
【請求項２】
前記判定手段は、カメラ間の経路が設定された距離よりも短い前記第１のカメラと前記第２のカメラとで撮影された前記第１画像と前記第２画像とからそれぞれ前記検出手段により検出された前記第１被写体と前記第２被写体とが同一の被写体であることを判定することを特徴とする請求項１に記載の画像処理装置。
【請求項３】
前記判定手段は、カメラのレイアウト情報に基づいて導出されるカメラ間の経路が設定された距離よりも短い前記第１のカメラと前記第２のカメラとで撮影された前記第１画像と前記第２画像とからそれぞれ前記検出手段により検出された前記第１被写体と前記第２被写体とが同一の被写体であることを判定することを特徴とする請求項２に記載の画像処理装置。
【請求項４】
前記第１画像と前記第２画像とにおける前記検出手段により検出された前記第１被写体と前記第２被写体の領域から形状または模様に関する属性情報を抽出する属性抽出手段と、
前記属性抽出手段により抽出された属性情報に基づいて、第１被写体と第２被写体とを照合し、照合度を取得する照合手段と、
を更に有し、
前記判定手段は、前記照合手段により取得された照合度に基づいて、前記第１被写体と前記第２被写体とが同一の被写体であることを判定することを特徴とする請求項１乃至３の何れか１項に記載の画像処理装置。
【請求項５】
前記第１画像における前記第１被写体の領域と前記第２画像における前記第２被写体の領域とから色情報を抽出する色抽出手段を更に有し、
前記取得手段は、前記色抽出手段により抽出された色情報に基づいて、前記補正パラメータを取得することを特徴とする請求項１乃至４の何れか１項に記載の画像処理装置。
【請求項６】
前記取得手段は、過去に取得した複数の補正パラメータに基づいて、最終的な補正パラメータを取得することを特徴とする請求項１乃至４の何れか１項に記載の画像処理装置。
【請求項７】
前記第１画像における前記第１被写体の領域と前記第２画像における前記第２被写体の領域とにおいて、色に偏りがあるか否かを判定する偏り判定手段を更に有し、
前記取得手段は、前記偏り判定手段により偏りがないと判定された場合、前記補正パラメータを取得することを特徴とする請求項１乃至４の何れか１項に記載の画像処理装置。
【請求項８】
画像処理装置が実行する情報処理方法であって、
第１のカメラで撮影された第１画像と第２のカメラで撮影された第２画像とからそれぞれ被写体を検出する検出ステップと、
前記検出ステップで前記第１画像から検出された第１被写体と前記検出ステップで前記第２画像から検出された第２被写体とについて、被写体の顔の特徴に基づいて同一の被写体であることを判定する判定ステップと、
前記判定ステップで前記第１被写体と前記第２被写体とが同一であると判定された場合、前記第１画像における前記第１被写体の領域の色情報と、前記第２画像における前記第２被写体の領域の色情報と、に基づいて、前記第１のカメラで撮影された画像と前記第２のカメラで撮影された画像との間の色の差異を補正するための補正パラメータを取得する取得ステップと、
前記第１画像と前記第２画像とを表示装置に表示させる制御を行う制御ステップと、
を含み、
前記制御ステップで前記表示装置に表示させられる前記第１画像と前記第２画像とのうち少なくとも一方が前記取得ステップで取得された前記補正パラメータに基づいて色を補正されていることを特徴とする情報処理方法。
【請求項９】
コンピュータを、請求項１乃至７の何れか１項に記載の画像処理装置の各手段として、機能させるためのプログラム。
【請求項１０】
請求項９に記載のプログラムを記録したことを特徴とするコンピュータ読み取り可能な記録媒体。
【手続補正２】
【補正対象書類名】明細書
【補正対象項目名】発明の名称
【補正方法】変更
【補正の内容】
【発明の名称】画像処理装置、情報処理方法、プログラム及び記録媒体
【手続補正３】
【補正対象書類名】明細書
【補正対象項目名】０００１
【補正方法】変更
【補正の内容】
【０００１】
本発明は、特に、画像中の同一の被写体の色の差を低減するために用いる好適な画像処理装置、情報処理方法、プログラム及び記録媒体に関する。
【手続補正４】
【補正対象書類名】明細書
【補正対象項目名】０００８
【補正方法】変更
【補正の内容】
【０００８】
従って、従来の技術では、カメラの撮影領域が重複していない場合は、カメラ間の色補正を行うために、ユーザにより、補正対象のカメラに対して基準チャートを撮影する指示を行ったり、同一人物画像の指定を行ったりする必要がある。このため、ユーザに多くの負荷がかかってしまう。
そこで、本発明は、２つのカメラ間の撮影範囲が重ならない場合でも、より容易にカメラ間の色の違いが低減された形で、この２つのカメラそれぞれで撮影された画像を提示できる技術を提供することを目的とする。
【手続補正５】
【補正対象書類名】明細書
【補正対象項目名】０００９
【補正方法】変更
【補正の内容】
【０００９】
上記課題を解決するために、本発明におけるカメラ間色補正装置は、第１のカメラで撮影された第１画像と第２のカメラで撮影された第２画像とからそれぞれ被写体を検出する検出手段と、前記検出手段により前記第１画像から検出された第１被写体と前記検出手段により前記第２画像から検出された第２被写体とについて、被写体の顔の特徴に基づいて同一の被写体であることを判定する判定手段と、前記判定手段により前記第１被写体と前記第２被写体とが同一であると判定された場合、前記第１画像における前記第１被写体の領域の色情報と、前記第２画像における前記第２被写体の領域の色情報と、に基づいて、前記第１のカメラで撮影された画像と前記第２のカメラで撮影された画像との間の色の差異を補正するための補正パラメータを取得する取得手段と、前記第１画像と前記第２画像とを表示装置に表示させる制御を行う制御手段と、を有し、前記制御手段により前記表示装置に表示させられる前記第１画像と前記第２画像とのうち少なくとも一方が前記取得手段により取得された前記補正パラメータに基づいて色を補正されていることを特徴とする。
【手続補正６】
【補正対象書類名】明細書
【補正対象項目名】００１０
【補正方法】変更
【補正の内容】
【００１０】
本発明によれば、２つのカメラ間の撮影範囲が重ならない場合でも、より容易にカメラ間の色の違いが低減された形で、この２つのカメラそれぞれで撮影された画像を提示できる技術を提供することが可能となる。